(57)【要約】【課題】  デジタル万引きを企てる者が繰返し紙面の撮影を試みることによりデジタル万引きに成功してしまうことを防止できるデジタル万引き防止方式及びその方法を提供する。【解決手段】  入力した画像から電子透かしを検出する電子透かし検出手段と、電子透かし検出手段が画像から所定の電子透かしを検出できた場合に、画像を入力してから一定時間経過後に所定の処理をする処理手段とを備える。所定の処理とは、入力後に保存されている画像の消去、画像の表示を禁止する処理又は画像の加工である。画像に所定の電子透かしが含まれていないことを確認できるまで、画像の送信及び出力を留保する送信・出力留保手段を更に備える。画像から所定の電子透かしを検出できたならば、画像の送信及び出力を禁止する送信・出力禁止手段を更に備える。【選択図】        図５
2005151124.tif 000002
【特許請求の範囲】
【請求項１】
入力した画像から電子透かし又は模様を検出する検出手段と、
前記検出手段が前記画像から所定の電子透かし又は所定の模様を検出できた場合に、前記画像に対する所定の処理を禁止する処理禁止手段と、
を備え、
前記検出手段及び前記処理禁止手段とは携帯情報端末に備わることを特徴とするデジタル万引き防止方式。
【請求項２】
入力した画像から電子透かし又は模様を検出する検出手段と、
前記画像に対する所定の処理を禁止する処理禁止手段と、
前記検出手段が前記画像から所定の電子透かし又は所定の模様を検出できた場合に、前記処理禁止手段を起動するためのデータを生成すると共に、前記検出手段が前記画像から前記所定の電子透かし以外の電子透かし又は前記所定の模様以外の模様を検出できた場合に、前記処理禁止手段を起動するためのデータとは異なるデータを生成するデータ生成手段と、
データに従って文字列の表示をすると共に、データ中に前記処理禁止手段を起動するためのデータを検出した場合に前記処理禁止手段を起動する表示制御手段と、
を備えることを特徴とするデジタル万引き防止方式。
【請求項３】
入力した画像から電子透かし又は模様を検出する検出手段と、
前記画像に対する所定の処理を禁止する処理禁止手段と、
前記検出手段が前記画像から所定の電子透かし又は所定の模様を検出できた場合に、制御用コードが続くことを示すエスケープシーケンス及び該エスケープシーケンスに続くコードであってデジタル万引き防止を意味するものを含むデータを生成するデータ生成手段と、
データに従って文字列の表示をすると共に、データから前記エスケープシーケンス及び前記コードを検出した場合に前記処理禁止手段を起動する表示制御手段と、
を備えることを特徴とするデジタル万引き防止方式。
【請求項４】
入力した画像から電子透かし又は模様を検出する検出手段と、
前記画像に対する所定の処理を禁止する処理禁止プログラムと、
前記検出手段が前記画像から所定の電子透かし又は所定の模様を検出できた場合に、前記処理禁止プログラムを起動するための文字列を含むデータを生成するデータ生成手段と、
データに従って文字列の表示をすると共に、データから前記文字列を検出した場合に前記処理禁止プログラムを起動する表示制御手段と、
を備えることを特徴とするデジタル万引き防止方式。
【請求項５】
請求項１乃至４の何れか１項に記載のデジタル万引き防止方式において、
前記所定の処理とは、前記画像の表示、前記画像の保存、前記画像の送信又は前記画像の出力であることを特徴とするデジタル万引き防止方式。
【請求項６】
入力した画像から電子透かし又は模様を検出する検出手段と、
入力した画像に対する所定の処理の実行が開始されようとしていることを検出する処理実行開始検出手段と、
前記検出手段が前記画像から所定の電子透かし又は所定の模様を検出でき、且つ、前記処理実行検出手段が前記所定の処理の実行の開始を検出した場合に、別の所定の処理を実行する別処理実行手段と、
を備えることを特徴とするデジタル万引き防止方式。
【請求項７】
請求項６に記載のデジタル万引き防止方式において、
前記別の所定の処理とは、前記画像の加工、警告画面の表示又は警告音の出力であることを特徴とするデジタル万引き防止方式。
【請求項８】
請求項７に記載のデジタル万引き防止方式において、
前記画像の加工とは、前記画像への文字の上書き、前記画像のぼかし、前記画像のモザイク化又は前記画像中の文字部の可読性を失わせる処理のいずれかであることを特徴とするデジタル万引き防止方式。
【請求項９】
入力した画像から電子透かし又は模様を検出する検出手段と、
前記検出手段が前記画像から所定の電子透かし又は所定の模様を検出できた場合に、前記画像を入力してから一定時間経過後に所定の処理をする処理手段と、
を備えることを特徴とするデジタル万引き防止方式。
【請求項１０】
請求項９に記載のデジタル万引き防止方式において、
前記所定の処理とは、入力後に保存されている前記画像の消去、前記画像の表示を禁止する処理又は前記画像の加工であることを特徴とするデジタル万引き防止方式。
【請求項１１】
請求項１０に記載のデジタル万引き防止方式において、
前記画像の加工とは、前記画像への文字の上書き、前記画像のぼかし、前記画像のモザイク化又は前記画像中の文字部の可読性を失わせる処理のいずれかであることを特徴とするデジタル万引き防止方式。
【請求項１２】
請求項９に記載のデジタル万引き防止方式において、
前記画像に前記所定の電子透かし又は前記所定の模様が含まれていないことを確認できるまで、前記画像の送信及び出力を留保する送信・出力留保手段を更に備えることを特徴とするデジタル万引き防止方式。
【請求項１３】
請求項１２に記載のデジタル万引き防止方式において、
前記画像から前記所定の電子透かし又は前記所定の模様を検出できたならば、前記画像の送信及び出力を禁止する送信・出力禁止手段を更に備えることを特徴とするデジタル万引き防止方式。
【請求項１４】
入力した画像から該画像が書籍の紙面の画像であることを示す書籍情報を検出する書籍情報検出手段と、
入力した前記画像から電子透かし又は模様を検出する検出手段と、
前記書籍情報検出手段により前記書籍情報が検出され、且つ、前記検出手段により所定の電子透かし又は所定の模様が検出されなかった場合に、前記画像の処理を禁止する処理禁止手段と、
を備えることを特徴とするデジタル万引き防止方式。
【請求項１５】
請求項１４に記載のデジタル万引き防止方式において、
前記所定の処理とは、前記画像の表示、前記画像の保存、前記画像の送信又は前記画像の出力であることを特徴とするデジタル万引き防止方式。
【請求項１６】
請求項１４に記載のデジタル万引き防止方式において、
前記書籍識別情報は、前記所定の電子透かしとは異なった電子透かし、前記所定の模様とは異なった模様又は網点であることを特徴とするデジタル万引き防止方式。
【請求項１７】
請求項１乃至１６のいずれか１項に記載のデジタル万引き防止方式において、
前記検出手段は、電子回路により構成されることを特徴とするデジタル万引き防止方式。
【請求項１８】
請求項１乃至１７のいずれか１項に記載のデジタル万引き防止方式において、
前記所定の電子透かしは、複数種類の電子透かしのうちの何れかの電子透かしであり、前記所定の模様は複数種類の模様のうちの何れかの模様であることを特徴とするデジタル万引き防止方式。
【請求項１９】
入力した画像から電子透かし又は模様を検出する検出ステップと、
前記検出ステップが前記画像から所定の電子透かし又は所定の模様を検出できた場合に、前記画像に対する所定の処理を禁止する処理禁止ステップと、
を備え、
前記検出ステップ及び前記処理禁止ステップとは携帯情報端末に備わることを特徴とするデジタル万引き防止方法。
【請求項２０】
入力した画像から電子透かし又は模様を検出する検出ステップと、
前記画像に対する所定の処理を禁止する処理禁止ステップと、
前記検出ステップが前記画像から所定の電子透かし又は所定の模様を検出できた場合に、前記処理禁止ステップを起動するためのデータを生成すると共に、前記検出ステップが前記画像から前記所定の電子透かし以外の電子透かし又は前記所定の模様以外の模様を検出できた場合に、前記処理禁止ステップを起動するためのデータとは異なるデータを生成するデータ生成ステップと、
データに従って文字列の表示をすると共に、データ中に前記処理禁止ステップを起動するためのデータを検出した場合に前記処理禁止ステップを起動する表示制御ステップと、
を備えることを特徴とするデジタル万引き防止方法。
【請求項２１】
入力した画像から電子透かし又は模様を検出する検出ステップと、
前記画像に対する所定の処理を禁止する処理禁止ステップと、
前記検出ステップが前記画像から所定の電子透かし又は模様を検出できた場合に、制御用コードが続くことを示すエスケープシーケンス及び該エスケープシーケンスに続くコードであってデジタル万引き防止を意味するものを含むデータを生成するデータ生成ステップと、
データに従って文字列の表示をすると共に、データから前記エスケープシーケンス及び前記コードを検出した場合に前記処理禁止ステップを起動する表示制御ステップと、
を備えることを特徴とするデジタル万引き防止方法。
【請求項２２】
入力した画像から電子透かし又は模様を検出する検出ステップと、
前記画像に対する所定の処理を禁止する処理禁止プログラムと、
前記検出ステップが前記画像から所定の電子透かし又は所定の模様を検出できた場合に、前記処理禁止プログラムを起動するための文字列を含むデータを生成するデータ生成ステップと、
データに従って文字列の表示をすると共に、データから前記文字列を検出した場合に前記処理禁止プログラムを起動する表示制御ステップと、
を備えることを特徴とするデジタル万引き防止方法。
【請求項２３】
請求項１９乃至２２の何れか１項に記載のデジタル万引き防止方法において、
前記所定の処理とは、前記画像の表示、前記画像の保存、前記画像の送信又は前記画像の出力であることを特徴とするデジタル万引き防止方法。
【請求項２４】
入力した画像から電子透かし又は模様を検出する検出ステップと、
入力した画像に対する所定の処理の実行が開始されようとしていることを検出する処理実行開始検出ステップと、
前記検出ステップが前記画像から所定の電子透かし又は所定の模様を検出でき、且つ、前記処理実行検出ステップが前記所定の処理の実行の開始を検出した場合に、別の所定の処理を実行する別処理実行ステップと、
を備えることを特徴とするデジタル万引き防止方法。
【請求項２５】
請求項２４に記載のデジタル万引き防止方法において、
前記別の所定の処理とは、前記画像の加工、警告画面の表示又は警告音の出力であることを特徴とするデジタル万引き防止方法。
【請求項２６】
請求項２５に記載のデジタル万引き防止方法において、
前記画像の加工とは、前記画像への文字の上書き、前記画像のぼかし、前記画像のモザイク化又は前記画像中の文字部の可読性を失わせる処理のいずれかであることを特徴とするデジタル万引き防止方法。
【請求項２７】
入力した画像から電子透かし又は模様を検出する検出ステップと、
前記検出ステップが前記画像から所定の電子透かし又は所定の模様を検出できた場合に、前記画像を入力してから一定時間経過後に所定の処理をする処理ステップと、
を備えることを特徴とするデジタル万引き防止方法。
【請求項２８】
請求項２７に記載のデジタル万引き防止方法において、
前記所定の処理とは、入力後に保存されている前記画像の消去、前記画像の表示を禁止する処理又は前記画像の加工であることを特徴とするデジタル万引き防止方法。
【請求項２９】
請求項２８に記載のデジタル万引き防止方法において、
前記画像の加工とは、前記画像への文字の上書き、前記画像のぼかし、前記画像のモザイク化又は前記画像中の文字部の可読性を失わせる処理のいずれかであることを特徴とするデジタル万引き防止方法。
【請求項３０】
請求項２７に記載のデジタル万引き防止方法において、
前記画像に前記所定の電子透かし又は前記所定の模様が含まれていないことを確認できるまで、前記画像の送信及び出力を留保する送信・出力留保ステップを更に備えることを特徴とするデジタル万引き防止方法。
【請求項３１】
請求項３０に記載のデジタル万引き防止方法において、
前記画像から前記所定の電子透かし又は前記所定の模様を検出できたならば、前記画像の送信及び出力を禁止する送信・出力禁止ステップを更に備えることを特徴とするデジタル万引き防止方法。
【請求項３２】
入力した画像から該画像が書籍の紙面の画像であることを示す書籍情報を検出する書籍情報検出ステップと、
入力した前記画像から電子透かし又は模様を検出する検出ステップと、
前記書籍情報検出ステップにより前記書籍情報が検出され、且つ、前記検出ステップにより所定の電子透かし又は所定の模様が検出されなかった場合に、前記画像の処理を禁止する処理禁止ステップと、
を備えることを特徴とするデジタル万引き防止方法。
【請求項３３】
請求項３２に記載のデジタル万引き防止方法において、
前記所定の処理とは、前記画像の表示、前記画像の保存、前記画像の送信又は前記画像の出力であることを特徴とするデジタル万引き防止方法。
【請求項３４】
請求項３２に記載のデジタル万引き防止方法において、
前記書籍識別情報は、前記所定の電子透かしとは異なった電子透かし、前記所定の模様とは異なった模様又は網点であることを特徴とするデジタル万引き防止方法。
【請求項３５】
請求項１９乃至３４のいずれか１項に記載のデジタル万引き防止方法において、
前記検出ステップは、電子回路により構成されることを特徴とするデジタル万引き防止方法。
【請求項３６】
請求項１９乃至３５のいずれか１項に記載のデジタル万引き防止方法において、
前記所定の電子透かしは、複数種類の電子透かしのうちの何れかの電子透かしであり、前記所定の模様は、複数種類の模様のうちの何れかの模様であることを特徴とするデジタル万引き防止方法。
【請求項３７】
コンピュータに請求項１９乃至３６の何れか１項に記載の方法を行わせるためのプログラム。
【発明の詳細な説明】
【技術分野】
【０００１】
本発明は、書店等においてカメラを内蔵した携帯電話等の携帯情報端末（ＰＤＡ(Personal Digital Assistant)等）を用いて行われる書籍の記事の不正撮影（所謂デジタル万引き）を防止するためのデジタル万引き防止方式及びその方法に関する。
【背景技術】
【０００２】
近年カメラを内蔵した携帯電話や携帯情報端末が普及してきている。これに伴い、デジタル万引きが社会問題となっている。
【０００３】
そこで、デジタル万引きされそうなページを袋綴じにする対策が考えられるが、そうするとコストが上昇し利益を圧迫する。また、シャッターを押した瞬間に電子的なシャッター音を鳴らす対策が考えられるが、デジタル万引き抑圧効果は必ずしも十分ではなく、また、設定によってシャッター音を鳴らさないようにもできてしまう。
【０００４】
そこで、書籍の紙面に電子透かしを挿入し、電子透かしが挿入されている画像を撮影した場合には、その画像を画面に表示したり内蔵メモリに保存できないようにすることが考えられる（例えば、非特許文献１参照。）。
【非特許文献１】「ＤＩＭＥ」２００３年９月１８日号、第６０ページ、小学館出版
【発明の開示】
【発明が解決しようとする課題】
【０００５】
しかし、非特許文献１に記載の発想の基となる技術は、携帯電話等で撮影した画像に含まれている電子透かしの形態の文字列をサーバで抽出し、その文字列をサーバから携帯電話等に送信するものである。その文字列とは、画面に表示される通常の文字であったり、ＵＲＬ(Uniform Resource Locator)であったり、電子メールアドレスであるので、その文字列により画像の表示や保存を禁止する制御をすることはできない。従って、非特許文献１に記載の発想は想像の域を出ていない。
【０００６】
また、画像の表示や保存をできないようにする直接的な方法では、その画像に限り表示や保存ができないのか否かが不明であるため、携帯情報端末が壊れてしまったのではないかとユーザが疑う可能性がある。
【０００７】
更に、ある者がデジタル万引きをしようとして、撮影画像の保存の操作をした時に、撮影画像の保存ができないようにすると、その者は、その撮影画像によりデジタル万引きをすることができないことを認識できる。そうすると、その者は同一の部分をズームの倍率を変えたり、被写体エリアをずらしたり、照射光を変化させたりして再度撮影することを電子透かしが検出できなくなるまで繰返し、最終的にはデジタル万引きをすることが可能となる場合がある。
【０００８】
更に、デジタル万引きを防止したい画像に電子透かしを挿入すると、そのような画像の画質が劣化する。
【０００９】
そこで本発明は、文字列を処理する系列を介さないで電子透かしによりデジタル万引きを防止することを可能とするデジタル万引き防止方式及びその方法を提供することを目的とする。
【００１０】
また、本発明は、文字列を処理する系列を介しながらも電子透かしによりデジタル万引きを防止することを可能とするデジタル万引き防止方式及びその方法を提供することを目的とする。
【００１１】
更に、本発明は、その画像に限り表示や保存ができないことをユーザが認識することを可能とするデジタル万引き防止方式及びその方法を提供することを目的とする。
【００１２】
更に、本発明は、デジタル万引きを企てる者が繰返し紙面の撮影を試みることによりデジタル万引きに成功してしまうことを防止できるデジタル万引き防止方式及びその方法を提供することを目的とする。
【００１３】
更に、本発明は、デジタル万引きを防止したい画像の画質を劣化させないデジタル万引き防止方式及びその方法を提供することを目的とする。
【課題を解決するための手段】
【００１４】
請求項１に記載の発明によれば、入力した画像から電子透かし又は模様を検出する検出手段と、前記検出手段が前記画像から所定の電子透かし又は所定の模様を検出できた場合に、前記画像に対する所定の処理を禁止する処理禁止手段と、を備え、前記検出手段及び前記処理禁止手段とは携帯情報端末に備わることを特徴とするデジタル万引き防止方式が提供される。
【００１５】
請求項２に記載の発明によれば、入力した画像から電子透かし又は模様を検出する検出手段と、前記画像に対する所定の処理を禁止する処理禁止手段と、前記検出手段が前記画像から所定の電子透かし又は所定の模様を検出できた場合に、前記処理禁止手段を起動するためのデータを生成すると共に、前記検出手段が前記画像から前記所定の電子透かし以外の電子透かし又は前記所定の模様以外の模様を検出できた場合に、前記文字列とは異なるデータを生成するデータ生成手段と、データに従って文字列の表示をすると共に、データ中に前記処理禁止手段を起動するためのデータを検出した場合に前記処理禁止手段を起動する表示制御手段と、を備えることを特徴とするデジタル万引き防止方式が提供される。
【００１６】
請求項３に記載の発明によれば、入力した画像から電子透かし又は模様を検出する検出手段と、前記画像に対する所定の処理を禁止する処理禁止手段と、前記検出手段が前記画像から所定の電子透かし又は所定の模様を検出できた場合に、制御用コードが続くことを示すエスケープシーケンス及び該エスケープシーケンスに続くコードであってデジタル万引き防止を意味するものを含むデータを生成するデータ生成手段と、データに従って文字列の表示をすると共に、データから前記エスケープシーケンス及び前記コードを検出した場合に前記処理禁止手段を起動する表示制御手段と、を備えることを特徴とするデジタル万引き防止方式が提供される。
【００１７】
請求項４に記載の発明によれば、入力した画像から電子透かし又は模様を検出する検出手段と、前記画像に対する所定の処理を禁止する処理禁止プログラムと、前記検出手段が前記画像から所定の電子透かし又は所定の模様を検出できた場合に、前記処理禁止プログラムを起動するための文字列を含むデータを生成するデータ生成手段と、データに従って文字列の表示をすると共に、データから前記文字列を検出した場合に前記処理禁止プログラムを起動する表示制御手段と、を備えることを特徴とするデジタル万引き防止方式が提供される。
【００１８】
請求項５に記載の発明によれば、請求項１乃至４の何れか１項に記載のデジタル万引き防止方式において、前記所定の処理とは、前記画像の表示、前記画像の保存、前記画像の送信又は前記画像の出力であることを特徴とするデジタル万引き防止方式が提供される。
【００１９】
請求項６に記載の発明によれば、入力した画像から電子透かし又は模様を検出する検出手段と、入力した画像に対する所定の処理の実行が開始されようとしていることを検出する処理実行開始検出手段と、前記検出手段が前記画像から所定の電子透かし又は所定の模様を検出でき、且つ、前記処理実行検出手段が前記所定の処理の実行の開始を検出した場合に、別の所定の処理を実行する別処理実行手段と、を備えることを特徴とするデジタル万引き防止方式が提供される。
【００２０】
請求項７に記載の発明によれば、請求項６に記載のデジタル万引き防止方式において、前記別の所定の処理とは、前記画像の加工、警告画面の表示又は警告音の出力であることを特徴とするデジタル万引き防止方式が提供される。
【００２１】
請求項８に記載の発明によれば、請求項７に記載のデジタル万引き防止方式において、前記画像の加工とは、前記画像への文字の上書き、前記画像のぼかし、前記画像のモザイク化又は前記画像中の文字部の可読性を失わせる処理のいずれかであることを特徴とするデジタル万引き防止方式が提供される。
【００２２】
請求項９に記載の発明によれば、入力した画像から電子透かし又は模様を検出する検出手段と、前記検出手段が前記画像から所定の電子透かし又は所定の模様を検出できた場合に、前記画像を入力してから一定時間経過後に所定の処理をする処理手段と、を備えることを特徴とするデジタル万引き防止方式が提供される。
【００２３】
請求項１０に記載の発明によれば、請求項９に記載のデジタル万引き防止方式において、前記所定の処理とは、入力後に保存されている前記画像の消去、前記画像の表示を禁止する処理又は前記画像の加工であることを特徴とするデジタル万引き防止方式が提供される。
【００２４】
請求項１１に記載の発明によれば、請求項１０に記載のデジタル万引き防止方式において、前記画像の加工とは、前記画像への文字の上書き、前記画像のぼかし、前記画像のモザイク化又は前記画像中の文字部の可読性を失わせる処理のいずれかであることを特徴とするデジタル万引き防止方式が提供される。
【００２５】
請求項１２に記載の発明によれば、請求項９に記載のデジタル万引き防止方式において、前記画像に前記所定の電子透かし又は前記所定の模様が含まれていないことを確認できるまで、前記画像の送信及び出力を留保する送信・出力留保手段を更に備えることを特徴とするデジタル万引き防止方式が提供される。
【００２６】
請求項１３に記載の発明によれば、請求項１２に記載のデジタル万引き防止方式において、前記画像から前記所定の電子透かし又は前記所定の模様を検出できたならば、前記画像の送信及び出力を禁止する送信・出力禁止手段を更に備えることを特徴とするデジタル万引き防止方式が提供される。
【００２７】
請求項１４に記載の発明によれば、入力した画像から該画像が書籍の紙面の画像であることを示す書籍情報を検出する書籍情報検出手段と、入力した前記画像から電子透かし又は模様を検出する検出手段と、前記書籍情報検出手段により前記書籍情報が検出され、且つ、前記検出手段により所定の電子透かし又は所定の模様が検出されなかった場合に、前記画像の処理を禁止する処理禁止手段と、を備えることを特徴とするデジタル万引き防止方式が提供される。
【００２８】
請求項１５に記載の発明によれば、請求項１４に記載のデジタル万引き防止方式において、前記所定の処理とは、前記画像の表示、前記画像の保存、前記画像の送信又は前記画像の出力であることを特徴とするデジタル万引き防止方式が提供される。
【００２９】
請求項１６に記載の発明によれば、請求項１４に記載のデジタル万引き防止方式において、前記書籍識別情報は、前記所定の電子透かしとは異なった電子透かし、前記所定の模様とは異なった模様又は網点であることを特徴とするデジタル万引き防止方式が提供される。
【００３０】
請求項１７に記載の発明によれば、請求項１乃至１６のいずれか１項に記載のデジタル万引き防止方式において、前記検出手段は、電子回路により構成されることを特徴とするデジタル万引き防止方式が提供される。
【００３１】
請求項１８に記載の発明によれば、請求項１乃至１７のいずれか１項に記載のデジタル万引き防止方式において、前記所定の電子透かしは、複数種類の電子透かしのうちの何れかの電子透かしであり、前記所定の模様は、複数種類の模様のうちの何れかの模様であることを特徴とするデジタル万引き防止方式が提供される。
【発明の効果】
【００３２】
請求項１及び１９に記載の発明によれば、検出手段及び前記処理禁止手段とが携帯情報端末に備わるので、電子透かし又は模様を基に文字列を求め、それを処理する系列とは別個に検出手段及び前記処理禁止手段とを設けることができ、従って、文字列を求め、それを処理する系列を介さずに処理禁止を行うことが可能となる。従って、文字列を処理する系列から処理禁止手段を起動するための何らかの手段を設ける必要が無くなる。
【００３３】
請求項２及び２０に記載の発明によれば、所定の電子透かし又は所定の模様から得られるデータが、処理禁止手段を起動するためのデータを含むので、通常の電子透かし又は通常の模様を文字情報の提供のために用いる場合であっても、同様な電子透かし又は同様な模様をデジタル万引きを防止するために利用することができる。
【００３４】
請求項３及び２１に記載の発明によれば、所定の電子透かし又は所定の模様から得られるデータが、制御用コードが続くことを示すエスケープシーケンス及び該エスケープシーケンスに続くコードであってデジタル万引き防止を意味するものを含むので、通常の電子透かし又は通常の模様を文字情報の提供のために用いる場合であっても、同様な電子透かし又は同様な模様をデジタル万引きを防止するために利用することができる。
【００３５】
請求項４及び２２に記載の発明によれば、前記所定の電子透かし又は前記所定の模様から得られるデータは、デジタル万引きを防止するためのプログラムを起動するための文字列を含むので、通常の電子透かし又は通常の模様を文字情報の提供のために用いる場合であっても、同様な電子透かし又は同様な模様をデジタル万引きを防止するために利用することができる。
【００３６】
請求項５及び２３に記載の発明によれば、画像の表示が禁止されるので、不正者は画像からデジタル万引きした文字情報等を得ることができない。また、画像の保存が禁止されるので、不正者は、後に画像からデジタル万引きした文字情報等を得ることができない。更に、画像の送信が禁止されるので、不正者は画像を受信した他の機器を用いて画像からデジタル万引きした文字情報等を得ることができない。更に、画像の出力が禁止されるので、不正者は画像を入力した他の機器を用いて画像からデジタル万引きした文字情報等を得ることができない。
【００３７】
請求項６及び２４に記載の発明によれば、検出手段が画像から所定の電子透かし又は所定の模様を検出でき、且つ、所定の処理の実行の開始が検出された場合に、別の所定の処理が実行されるので、不正者は、その別の処理により、その画像に限り所定の処理ができないのか否かを知ることができる。
【００３８】
請求項７及び２５に記載の発明によれば、画像が加工されるので、画像を表示したり、保存したり、出力したり、送信した場合であっても、その画像から文字情報を読み取ることができなくなる。また、警告画面の表示をするので、不正者がデジタル万引きをすることを躊躇するようにできる。更に、警告音を出力するので、不正者がデジタル万引きをすることを躊躇するようにできる。
【００３９】
請求項８及び２６に記載の発明によれば、画像に文字が上書きされるので、例えば、文字を「違法撮影」とすることにより、不正者がデジタル万引きをすることを躊躇するようにできる。また、画像がぼかされ、画像がモザイク化され、又は、文字部の可読性が失われるので、画像から文字情報を読み取ることができなくなる。
【００４０】
請求項９及び２７に記載の発明によれば、デジタル万引きを企てた者がデジタル万引きのための操作をした直後においては、その者がデジタル万引きができたと認識するが、実際には、一定時間経過後にデジタル万引きが失敗に終わるので、その者がデジタル万引きの操作を繰り返すことが無くなり、デジタル万引きの抑止力を高めることができる。
【００４１】
請求項１０及び２８に記載の発明によれば、保存されている画像が消去されるので、後にその画像から文字情報を得ることができなくなる。また、保存されている画像の表示が禁止されるので、後にその画像から文字情報を得ることができなくなる。更に、保存されている画像が加工されるので、画像を表示したり、保存したり、出力したり、送信した場合であっても、その画像から文字情報を読み取ることができなくなる。
【００４２】
請求項１１及び２９に記載の発明によれば、画像に文字が上書きされるので、例えば、文字を「違法撮影」とすることにより、不正者がデジタル万引きをすることを躊躇するようにできる。また、画像がぼかされ、画像がモザイク化され、又は、文字部の可読性が失われるので、画像から文字情報を読み取ることができなくなる。
【００４３】
請求項１２及び３０に記載の発明によれば、画像に所定の電子透かし又は所定の模様が含まれていないことを確認できるまで、画像の送信及び出力を留保するので、画像にデジタル万引き防止のための所定の電子透かし又は所定の模様が含まれている場合に、電子透かし又は模様を検出する前に、画像を送信又は出力して、画像を受信又は入力した他の機器を用いてデジタル万引きが達成されてしまうことを防止することができる。
【００４４】
請求項１３及び３１に記載の発明によれば、画像から所定の電子透かし又は所定の模様を検出できたならば、画像の送信及び出力を禁止するので、画像にデジタル万引き防止のための所定の電子透かし又は所定の模様が含まれている場合に、その画像に含まれている文字情報をデジタル万引きすることを防止することができる。
【００４５】
請求項１４及び３２に記載の発明によれば、書籍情報が検出され、且つ、所定の電子透かし又は所定の模様が検出されなかった場合に、画像の処理が禁止されるので、書籍情報が検出されない場合及び書籍情報が検出され、且つ、所定の電子透かし又は所定の模様が検出された場合にのみ画像の処理が許可される。従って、デジタル万引きされたくない画像の数が多い場合に、電子透かし又は模様を挿入する画像の数を減らすことができる。また、デジタル万引きされてもよい画像の画質を落とすのと引き換えに、デジタル万引きをされたくない画像の画質を落とさないようにすることができる。
【００４６】
請求項１５及び３３に記載の発明によれば、画像の表示が禁止されるので、不正者は画像からデジタル万引きした文字情報等を得ることができない。また、画像の保存が禁止されるので、不正者は、後に画像からデジタル万引きした文字情報等を得ることができない。更に、画像の送信が禁止されるので、不正者は画像を受信した他の機器を用いて画像からデジタル万引きした文字情報等を得ることができない。更に、画像の出力が禁止されるので、不正者は画像を入力した他の機器を用いて画像からデジタル万引きした文字情報等を得ることができない。
【００４７】
請求項１６及び３４に記載の発明によれば、書籍識別情報がデジタル撮影等を許可するための電子透かし又は模様とは異なった電子透かし又は模様であるので、書籍識別情報を表す電子透かし又は模様を紙面全体に分散させることができる。また、書籍識別情報が網点であるので、書籍識別情報を表すためにわざわざ電子透かし又は模様を挿入する必要がなくなり、その上、デジタル万引きを禁止する画像に電子透かし又は模様を挿入しないので、デジタル万引きされたくない画像の画質を落とさないようにすることができる。
【００４８】
請求項１７及び３５に記載の発明によれば、検出手段が電子回路により構成されるので、電子回路から電子透かし検出又は模様検出の中間結果が外部に漏れなければ、検出される電子透かし又は模様の改竄を防止でき、また、電子透かし検出又は模様検出のアルゴリズムを知られることを防止でき、更に、電子透かし検出又は模様検出の妨害から免れることができる。
【００４９】
請求項１８及び３６に記載の発明によれば、所定の電子透かしは、複数種類の電子透かしのうちの何れかの電子透かしであり、所定の模様は、複数種類の模様のうちの何れかの模様であるので、同じ内容を表す電子透かし又は模様であっても、画像の品質をなるべく落とさないような画像に適した電子透かし又は模様を選択することができる。
【発明を実施するための最良の形態】
【００５０】
以下、図面を参照して本発明を実施するための最良の形態について詳細に説明する。
【００５１】
［実施形態１］
図１は、本発明の実施形態１によるデジタル万引き方式を備えた携帯情報端末の構成を示すブロック図である。
【００５２】
図１を参照すると、携帯情報端末１０１は、カメラ１０２、電子透かし検出部１０３、電子透かし保持部１０４、判断部１０５、処理禁止部１０６及び処理部１０７を備える。
【００５３】
カメラ１０２は、画像を撮影し、特に書籍の紙面を撮影する。電子透かし検出部１０３は、カメラ１０２が撮影した画像から電子透かしを検出するための処理を行う。電子透かしとしては、本出願の出願人が出願した特願２００２−１６５６２８の明細書及び図面に記載した電子透かし挿入装置で挿入したものを用いることができる。電子透かしを検出する方法としては、本出願の出願人が出願した特願２００２−１６５６２８の明細書及び図面に記載した電子透かし検出方法を用いることができる。電子透かし保持部１０４は、デジタル万引き防止のための値を有する電子透かしを保持する。判断部１０５は、電子透かし検出部１０３が検出した電子透かしと電子透かし保持部１０４が保持する電子透かしが同一であるかどうかを判断する。処理禁止部１０６は、判断部１０５が両電子透かしが同一であると判断した場合に、処理部１０７による処理を禁止する。処理部１０７は、画像の表示、画像の保存、画像の送信又は画像の出力を行う。処理部１０７は、処理禁止部１０６から処理禁止の信号を入力したならば、処理を行わない。
【００５４】
電子透かし検出部１０３、判断部１０５、処理禁止部１０６及び処理部１０７は、ハードウェアによって実現しても良いが、コンピュータをこれらの部分として機能させるためのプログラムをコンピュータが読み込んで実行することによって実現しても良い。
【００５５】
実施形態１のデジタル万引き防止方式によれば、電子透かし同士を比較し、両者が同一であれば、処理禁止部１０６が処理部１０７による処理を禁止するので、文字コードの仲介無しに、直接的に処理を禁止することが可能となる。
【００５６】
［実施形態２］
図２は、本発明の実施形態２によるデジタル万引き防止方式を備えた携帯情報端末及びサーバの構成を示すブロック図である。
【００５７】
図２を参照すると、携帯情報端末１５１は、カメラ１５２、電子透かし検出第１処理部１５３、送信部１５４、処理部１５５、受信部１５６、表示制御部１５７、画面１５８、処理禁止部１５９及び処理部１５５を備える。また、サーバ１７５は、受信部１７６、電子透かし検出第２処理部１７７、対応表１７８、文字列検索部１７９及び送信部１８０を備える。
【００５８】
カメラ１５２は、画像を撮影し、特に書籍の紙面を撮影する。電子透かし検出第１処理部１５３は、カメラ１５２が撮影した画像から電子透かしを検出するための処理を行う。送信部１５４は、電子透かし検出第１処理部１５３が生成した電子透かし検出のための中間データをサーバ１７５の受信部１７６に送信する。処理部１５５は、カメラ１５２が撮影した画像に対して所定の処理を行う。所定の処理とは、例えば、画像の表示、画像の保存、画像の出力又は画像の送信等である。受信部１５６は、文字列をサーバ１７５の送信部１８０から受信する。表示制御部１５７は、受信部１５６が受信した文字列に基づき、画面１５８に表示する文字列を選択し、文字列が処理禁止部１５９を起動するための文字列である場合には、処理禁止部１５９に処理部１５５による処理を禁止するように指示を出す。処理禁止部１５９は、表示制御部１５７からの指示に従って処理部１５５による画像の処理を禁止する。
【００５９】
受信部１７６は、電子透かし検出のための中間データを携帯情報端末１５１の送信部１５４から受信する。電子透かし検出第２処理部１７７は、受信部１７６が受信した電子透かし検出のための中間データを基にカメラ１５２が撮影した画像から電子透かしを検出するための処理を行う。対応表１７８は、電子透かし検出第２処理部１７７が出力する電子透かしの取りうる全ての値又は一部の値について、値に関連付けられた文字列を保持する。文字列は、通常は、例えば、人が読んで意味を成す文字列であったり、ＵＲＬ(Uniform Resource Locator)であったり、電子メールアドレスであったりするが、本発明に従って、所定の値の電子透かしに対応する文字列は、画面１５８に表示される文字列ではなく、処理禁止部１５９を起動するための文字列である。このような文字列としては、文字列がテキスト形式であれば、例えば、所定のエスケープシーケンス及び処理禁止部１５９を起動するためのコードの組であり、文字列がＨＴＭＬ(Hyper Text Markup Language)形式であれば、例えば、下に示すようなタグと文字列との組である。
【００６０】
<HTML>
<HEAD>
<TITLE></TITLE>
</HEAD>
<BODY>
<applet code=InhibitProcess.class width=200, height=100></applet>
</BODY>
</HTML>
この例では、処理禁止部１５９は、InhibitProcess.classという名称のＪＡＶＡアプレットにより実現されている。なお、ＪＡＶＡは登録商標である。送信部１８０は文字列が対応表１７８から検索した文字列を携帯情報端末１５１の受信部１５６に送信する。なお、電子透かし検出第２処理部１７７が出力する電子透かしそのものが文字列検索部１７９が対応表１７８から検索するような文字列を表している場合には、図２の破線で示すように、送信部１８０は、電子透かし検出第２処理部１７７が出力する文字列を携帯情報端末１５１の受信部１５６に送信する。
【００６１】
なお、電子透かし検出第１処理部１５３が電子透かし検出のための処理の全てを行い、電子透かし検出第２処理部１７７を省略しても良い。同様に、電子透かし検出第２処理部１７７が電子透かし検出のための処理の全てを行い、電子透かし検出第１処理部１５３を省略しても良い。
【００６２】
また、電子透かし検出第１処理部１５３、送信部１５４、処理部１５５、受信部１５６、表示制御部１５７、処理禁止部、処理部１５５、受信部１７６、電子透かし検出第２処理部１７７、文字列検索部１７９及び送信部１８０は、ハードウェアによって実現しても良いが、コンピュータをこれらの部分として機能させるためのプログラムをコンピュータが読み込んで実行することによって実現しても良い。
【００６３】
［実施形態３］
図３は、本発明の実施形態によるデジタル万引き防止方式を備えた携帯情報端末の構成を示すブロック図である。
【００６４】
図３を参照すると、携帯情報端末２０１は、カメラ２０２、電子透かし検出部２０３、電子透かし保持部２０４、判断部２０５、処理実行開始検出部２０６、第１の処理部２０７及び第２の処理部２０８を備える。
【００６５】
カメラ２０２は、画像を撮影し、特に書籍の紙面を撮影する。電子透かし検出部２０３は、カメラ２０２が撮影した画像から電子透かしを検出するための処理を行う。電子透かし保持部２０４は、デジタル万引き防止のための値を有する電子透かしを保持する。判断部２０５は、電子透かし検出部２０３が検出した電子透かしと電子透かし保持部２０４が保持する電子透かしが同一であるかどうかを判断する。処理実行開始検出部２０６は、判断部２０５が両電子透かしが同一であると判断した場合に、第１の処理部２０７が画像に対する処理を開始するかどうかを監視し、第１の処理部２０７が処理を開始しようとすることが検出された時に、第２の処理部２０８を起動する。第１の処理部２０７は、画像の表示、画像の保存、画像の送信又は画像の出力を行う。第２の処理部２０８は、処理実行開始検出部２０６により起動された場合、第１の処理部２０７で処理されるべき画像に対し所定の処理を行う。この所定の処理とは、例えば、画像の加工又は画像の消去等である。画像の加工とは、例えば、画像への文字の上書き、画像のぼかし、画像のモザイク化又は画像中の文字部の可読性を失わせる処理等である。
【００６６】
電子透かし検出部２０３、判断部２０５、処理実行開始検出部２０６、第１の処理部２０７及び第２の処理部２０８は、ハードウェアによって実現しても良いが、コンピュータをこれらの部分として機能させるためのプログラムをコンピュータが読み込んで実行することによって実現しても良い。
【００６７】
実施形態３によれば、所定の電子透かしが画像から検出された場合に、表示されたり保存されたりする画像が加工されたり、消去されたりするので、画像が表示されたり保存されたりするものの、デジタル万引きを防止することができる。
【００６８】
［実施形態４］
図４は、本発明の実施形態によるデジタル万引き防止方式を備えた携帯情報端末の構成を示すブロック図である。
【００６９】
図４を参照すると、携帯情報端末２５１は、カメラ２５２、電子透かし検出部２５３、電子透かし保持部２５４、判断部２５５、処理実行開始検出部２５６、第１の処理部２５７及び第２の処理部２５８を備える。
【００７０】
カメラ２５２は、画像を撮影し、特に書籍の紙面を撮影する。電子透かし検出部２５３は、カメラ２５２が撮影した画像から電子透かしを検出するための処理を行う。電子透かし保持部２５４は、デジタル万引き防止のための値を有する電子透かしを保持する。判断部２５５は、電子透かし検出部２５３が検出した電子透かしと電子透かし保持部２５４が保持する電子透かしが同一であるかどうかを判断する。処理実行開始検出部２５６は、判断部２５５が両電子透かしが同一であると判断した場合に、第１の処理部２５７が画像に対する処理を開始するかどうかを監視し、第１の処理部２５７が処理を開始しようとすることが検出された時に、第２の処理部２５８を起動する。第１の処理部２５７は、画像の表示、画像の保存、画像の送信又は画像の出力を行う。第２の処理部２５８は、処理実行開始検出部２５６により起動された場合、所定の処理を行う。所定の処理とは、例えば、警告画面の表示、警告音の出力等である。
【００７１】
カメラ２５２、電子透かし検出部２５３、判断部２５５、処理実行開始検出部２５６、第１の処理部２５７及び第２の処理部２５８は、ハードウェアによって実現しても良いが、コンピュータをこれらの部分として機能させるためのプログラムをコンピュータが読み込んで実行することによって実現しても良い。
【００７２】
実施形態３によれば、所定の電子透かしが画像から検出された場合に、デジタル万引きが行われようとする時に警告画面を表示したり、警告音を出力したりするので、デジタル万引きを抑止することができる。
【００７３】
［実施形態５］
図５は、本発明の実施形態によるデジタル万引き防止方式を備えた携帯情報端末の構成を示すブロック図である。
【００７４】
図５を参照すると、携帯情報端末３０１は、カメラ３０２、電子透かし検出部３０３、電子透かし保持部３０４、判断部３０５、保存部３０６、表示禁止部３０７、表示部３０８、消去部３０９、加工部３１０、送信禁止部３１１、送信部３１２、出力禁止部３１３及び出力部３１４を備える。
【００７５】
カメラ３０２は、画像を撮影し、特に書籍の紙面を撮影する。電子透かし検出部３０３は、カメラ３０２が撮影した画像から電子透かしを検出するための処理を行う。電子透かし保持部３０４は、デジタル万引き防止のための値を有する電子透かしを保持する。判断部３０５は、電子透かし検出部３０３が検出した電子透かしと電子透かし保持部３０４が保持する電子透かしが同一であるかどうかを判断する。保存部３０６はカメラ３０２が撮影した画像を保存する。表示禁止部３０７は、判断部３０５により起動された場合に、表示部３０８による画像の表示を禁止する。表示部３０８は、表示禁止部３０７により画像の表示を禁止された場合等を除き、画像等を表示する。消去部３０９は、判断部３０５により起動された場合に、保存部３０６に保存されている画像を消去する。加工部３１０は、判断部３０５により起動された場合に、保存部３０６に保存されている画像を加工する。送信禁止部３１１は、判断部３０５により起動された場合に、送信部３１２による画像の送信を禁止する。送信部３１２は、送信禁止部３１１により画像の送信を禁止された場合等を除き、画像等を送信する。出力禁止部３１３は、判断部３０５により起動された場合に、出力部３１４による画像の出力を禁止する。出力部３１４は、出力禁止部３１３により画像の出力を禁止された場合等を除き、画像等を出力する。
【００７６】
電子透かし検出部３０３、判断部３０５、表示禁止部３０７、表示部３０８、消去部３０９、加工部３１０、送信禁止部３１１、送信部３１２、出力禁止部３１３及び出力部３１４は、ハードウェアによって実現しても良いが、コンピュータをこれらの部分として機能させるためのプログラムをコンピュータが読み込んで実行することによって実現しても良い。
【００７７】
図６は、本発明の実施形態によるデジタル万引き防止方式を備えた携帯情報端末の動作を示すフローチャートである。
【００７８】
図６を参照すると、まず、カメラ３０２が画像を読み込む（ステップＳ３５１）。次に、電子透かし検出部３０３は、ステップＳ３５１で読み込んだ画像から電子透かしを検出するための処理を開始する（ステップＳ３５２）。次に、判断部３０５は、送信禁止部３１１を起動して、画像送信のための操作が行われても、送信部３１２による画像の送信が行われないようにし（ステップＳ３５３）、出力禁止部３１３を起動して、画像出力のための操作が行われても、出力部３１４による画像の出力が行われないようにする（ステップＳ３５４）。
次に、画像読み込みが行われてから所定時間経過したか否かを判断する（ステップＳ３５５）。所定時間経過していなければ（ステップＳ３５５でＮＯ）、ステップ３５５に戻る。所定時間経過していれば（ステップＳ３５５でＹＥＳ）、電子透かし検出処理が終了しているか否かを判断する（ステップＳ３５６）。電子透かし検出処理が終了していなければ（ステップＳ３５６でＮＯ）、ステップＳ３５５に戻る。電子透かし検出処理が終了していれば（ステップＳ３５６でＹＥＳ）、電子透かし検出部３０３が検出した電子透かしが電子透かし保持部３０４が保持するデジタル万引き防止用の所定の電子透かしと同一であるか否かを判断する（ステップＳ３５７）。両電子透かしが同一であれば（ステップＳ３５７でＹＥＳ）、消去部３０９を起動して、保存部３０６に保存されている画像を消去する（ステップＳ３５８）。その代わりに、加工部３１０を起動して、保存部３０６に保存されている画像を加工しても良い。画像の加工とは、例えば、画像への文字の上書き、画像のぼかし、画像のモザイク化又は画像中の文字部の可読性を失わせる処理等である。その代わりに、表示禁止部３０７を起動して、画像の表示を禁止しても良い。そして、ステップＳ３５８で動作を終了する。ステップＳ３５８で処理を終了した場合には、ステップＳ３５１で読み込んだ画像の送信と出力は禁止されたままである。禁止されたままにするためには、例えば、画像に送信・出力禁止フラグを対応付け、そのフラグをセットすればよい。両電子透かしが同一でなければ（ステップＳ３５７でＮＯ）、送信禁止部３１１の動作を終了させ、ステップＳ３５１で読み込んだ画像の送信を許可し（ステップＳ３５９）、出力禁止部３１３の動作を終了させ、ステップＳ３５１で読み込んだ画像の出力を許可し（ステップＳ３６０）、動作を終了する。
【００７９】
実施形態５によれば、所定時間経過するまでの間は、画像の保存及び表示が可能であるので、デジタル万引きした者が、デジタル万引きに成功したと思い、書店を去ることとなる。そして、所定時間経過後にデジタル万引き防止のための電子透かしが挿入された画像は、消去等されるので、結局はデジタル万引きは失敗に終わることとなる。
【００８０】
また、所定時間経過するまでの間、画像の送信と出力が禁止されるので、他の機器が画像を受信又は入力して、デジタル万引きが成功してしまうことを防止することができる。
【００８１】
［実施形態６］
図７は、実施形態６で利用する書籍を示す概念図である。
【００８２】
図７を参照すると、書籍４０１の紙面全体に、書籍情報４０３を印刷する。書籍情報とは、カメラにより書籍の紙面が撮影されたときに、カメラにより撮影された画像が書籍の紙面であることを携帯情報端末等が認識できるようにするための情報である。書籍情報は、例えば、網点又は所定のパターンや値の電子透かしである。
【００８３】
そして、書籍４０１の紙面のうち撮影禁止領域４０２（デジタル万引きを防止ししたい領域）を除く領域に撮影許可を示す値を有する電子透かし４０４を印刷する。
【００８４】
従って、撮影禁止領域４０２には、書籍情報４０３のみが印刷され、撮影禁止領域以外の領域には、書籍情報４０３及び電子透かし４０４が印刷される。書籍情報４０３を網点とした場合には、撮影禁止領域４０２の印刷内容は、通常の印刷内容と同様となる。
【００８５】
図８は、本発明の実施形態１によるデジタル万引き方式を備えた携帯情報端末の構成を示すブロック図である。
【００８６】
図８を参照すると、携帯情報端末４５１は、カメラ４５２、電子透かし検出部４５３、書籍情報検出部４５４、電子透かし保持部４５５、判断部４５６、処理禁止部４５７及び処理部４５８を備える。
【００８７】
カメラ４５２は、画像を撮影し、特に書籍の紙面を撮影する。電子透かし検出部４５３は、カメラ４５２が撮影した画像から電子透かしを検出するための処理を行う。書籍情報検出部４５４は、カメラ４５２が撮影した画像から書籍情報を検出するための処理を行う。電子透かし保持部４５５は、撮影許可のための値を有する電子透かしを保持する。判断部４５６は、電子透かし検出部４５３が検出した電子透かしと電子透かし保持部４５５が保持する電子透かしが同一であるかどうかを判断すると共に、書籍情報検出部４５４が書籍情報を検出したか否かを判断する。処理禁止部４５７は、書籍情報が検出され、且つ、電子透かし検出部４５３が電子透かしを検出しなかった場合及び書籍情報が検出され、且つ、電子透かし検出部４５３が検出した電子透かしと電子透かし保持部４５５が保持する電子透かしが同一でない場合に、処理部４５８による処理を禁止する。一方、処理禁止部４５７は、書籍情報が検出されなかった場合及び書籍情報が検出され、且つ、電子透かし検出部４５３が検出した電子透かしと電子透かし保持部４５５が保持する電子透かしが同一である場合に、処理部４５８による処理を許可する。従って、カメラ４５２が書籍４０１の撮影禁止領域４０２を撮影した場合にのみ処理部４５８による処理が禁止され、カメラ４５２が書籍４０１の撮影禁止領域４０２以外の領域を撮影した場合及びカメラ４５２が書籍４０１以外を撮影した場合に処理部４５８による処理が許可される。処理部４５８は、画像の表示、画像の保存、画像の送信又は画像の出力を行う。処理部４５８は、処理禁止部４５７から処理禁止の信号を入力したならば、処理を行わない。
【００８８】
電子透かし検出部４５３、書籍情報検出部４５４、判断部４５６、処理禁止部４５７及び処理部４５８は、ハードウェアによって実現しても良いが、コンピュータをこれらの部分として機能させるためのプログラムをコンピュータが読み込んで実行することによって実現しても良い。
【００８９】
なお、実施形態１乃至５においても、撮影禁止を示す値を有する電子透かしを複数種類用意しておいて、画像に応じて、電子透かしを切換えて用いても良い。例えば、画像の異なった大きさに対しては異なった電子透かしを用意し、異なったアクティビティ（交流成分の振幅等）の画像に対しては異なった電子透かしを用意しても良い。実施形態６の撮影許可を示す値を有する電子透かしについても同様である。
【００９０】
また、上記の実施形態においては、書籍に電子透かしを印刷しておいた上で、電子透かし検出部が電子透かしを検出し、検出された電子透かしが電子透かし保持部が保持する所定の電子透かしと同一である場合に、所定の処理をすることとしたが、この代わりに、書籍に例えば、一次元又は二次元のバーコード等の模様を印刷しておいた上で、模様検出部が模様を検出し、検出された模様が模様保持部が保持する所定の模様と同一である場合に、所定の処理をするようにしてもよい。
【００９１】
更に、上記実施形態において、電子透かし又は模様が目立たないようにするために、電子透かし又は模様を黄色又は透明な不可視光線吸収インク等で印刷しても良い。
【産業上の利用可能性】
【００９２】
本発明は、デジタル万引きの防止に利用することができる。
【図面の簡単な説明】
【００９３】
【図１】本発明の実施形態１によるデジタル万引き防止方式を備えた携帯情報端末の構成を示すブロック図である。
【図２】本発明の実施形態２によるデジタル万引き防止方式を備えた携帯情報端末及びサーバの構成を示すブロック図である。
【図３】本発明の実施形態３によるデジタル万引き防止方式を備えた携帯情報端末の構成を示すブロック図である。
【図４】本発明の実施形態４によるデジタル万引き防止方式を備えた携帯情報端末の構成を示すブロック図である。
【図５】本発明の実施形態５によるデジタル万引き防止方式を備えた携帯情報端末の構成を示すブロック図である。
【図６】本発明の実施形態５によるデジタル万引き防止方式を備えた携帯情報端末の動作を示すフローチャートである。
【図７】本発明の実施形態６で利用する書籍を示す概念図である。
【図８】本発明の実施形態６によるデジタル万引き防止方式を備えた携帯情報端末の構成を示すブロック図である。
【符号の説明】
【００９４】
１０１  携帯情報端末；１０２  カメラ；１０３  電子透かし検出部；１０４  電子透かし保持部；１０５  判断部；１０６  処理禁止部；１０７  処理部；１５１  携帯情報端末；１５２  カメラ；１５３  電子透かし検出第１処理部；１５４  送信部；１５５  処理部；１５６  受信部；１５７  表示制御部；１５８  画面；１５９  処理禁止部；１７５  サーバ；１７６  受信部；１７７  電子透かし検出第２処理部；１７８  対応表；１７９  文字列検索部；１８０  送信部；２０１  携帯情報端末；２０２  カメラ；２０３  電子透かし検出部；２０４  電子透かし保持部；２０５  判断部；２０６  処理実行開始検出部；２０７  第１の処理部；２０８  第２の処理部；２５１  携帯情報端末；２５２  カメラ；２５３  電子透かし検出部；２５４  電子透かし保持部；２５５  判断部；２５６  処理実行開始検出部；２５７  第１の処理部；２５８  第２の処理部；３０１  携帯情報端末；３０２  カメラ；３０３  電子透かし検出部；３０４  電子透かし保持部；３０５  判断部；３０６  保存部；３０７  表示禁止部；３０８  表示部；３０９  消去部；３１０  加工部；３１１  送信禁止部；３１２  送信部；３１３  出力禁止部；３１４  出力部；４５１  携帯情報端末；４５２  カメラ；４５３  電子透かし検出部；４５４  書籍情報検出部；４５５  電子透かし保持部；４５６  判断部；４５７  処理禁止部；４５８  処理部
【図１】
2005151124.tif 000003
【図２】
2005151124.tif 000004
【図３】
2005151124.tif 000005
【図４】
2005151124.tif 000006
【図５】
2005151124.tif 000007
【図６】
2005151124.tif 000008
【図７】
2005151124.tif 000009
【図８】
2005151124.tif 000010